【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
環状のヨーク（４１）と、前記ヨークから放射状に延びている複数のティース（４２、８１）と、取付ボルトが挿通可能な取付孔（３１）を有する取付部（３０）とを有し、各前記ティースにコイル（１４）を巻回可能な回転電機（１０）用のステータコアアセンブリ（１２）であって、
前記ティースは、前記ヨークの軸心（ＡＸ）まわりの周方向へ積層されている複数の板部（５１、５２、５３、５４、５５、６１、６２、６３、６４、６５、８２、８３）から構成され、
前記ヨークは、周方向で隣り合う２つの前記ティースのうち一方に含まれる前記板部と他方に含まれる前記板部とを接続し、当該両板部と同一の部材から構成されている接続部（７１、７２、７３、７４、７５）を有し、
前記取付部は、前記ヨークおよび前記ティースとは別部材からなることを特徴とするステータコアアセンブリ。
【請求項２】
前記接続部、および、当該接続部に接続されている２つの前記板部は、板材を曲げて形成されたコアエレメント（４５、４６、４７、４８、４９、８６）を構成していることを特徴とする請求項１に記載のステータコアアセンブリ。
【請求項３】
前記コアエレメントは、周方向に並ぶように複数設けられており、
前記コアエレメントが有する２つの前記板部のうち、周方向の一方に位置する方を第１板部（５１、５２、５３、５４、５５、８２）とし、周方向の他方に位置する方を第２板部（６１、６２、６３、６４、６５、８３）とすると、前記ティースは、周方向の一方側が前記第２板部から構成され、周方向の他方側が前記第１板部から構成されていることを特徴とする請求項２に記載のステータコアアセンブリ。
【請求項４】
前記コアエレメントは、複数の前記接続部が径方向に積層されるように、複数設けられており、
前記ティースは、周方向の一方側が複数の前記第２板部から構成され、周方向の他方側が複数の前記第１板部から構成されていることを特徴とする請求項３に記載のステータコアアセンブリ。
【請求項５】
前記回転電機はアウターロータ型であり、
前記コアエレメントの前記第１板部に沿う仮想的な直線を第１仮想直線（Ｌ１）とし、前記第２板部に沿う仮想的な直線を第２仮想直線（Ｌ２）とすると、前記第１仮想直線と前記第２仮想直線との交点（Ｐ）は、前記接続部に対し前記軸心側に位置することを特徴とする請求項３または４に記載のステータコアアセンブリ。
【請求項６】
前記板部は、径方向へ延びている巻き部（７６）、および、当該巻き部の先端から前記ヨークの軸方向へ突き出している第１鍔部（７７）を有し、
前記巻き部の軸方向幅（Ｗ１）は、前記第１鍔部の軸方向幅（Ｗ２）よりも小さいことを特徴とする請求項１〜５のいずれか一項に記載のステータコアアセンブリ。
【請求項７】
前記ティースの先端面（７８、８７）は、軸方向から見たとき円弧状であることを特徴とする請求項１〜６のいずれか一項に記載のステータコアアセンブリ。
【請求項８】
前記先端面は、前記ヨークの軸心と同心の仮想的な円筒面である仮想円筒面（７９）に沿う形状であることを特徴とする請求項７に記載のステータコアアセンブリ。
【請求項９】
前記ティースを構成する複数の前記板部のうち周方向の端に位置するものを特定板部（８２、８３）とすると、当該特定板部は、前記ティースの先端部分で周方向へ突き出している第２鍔部（８４、８５）を有することを特徴とする請求項１〜８のいずれか一項に記載のステータコアアセンブリ。
【手続補正２】
【補正対象書類名】明細書
【補正対象項目名】発明の名称
【補正方法】変更
【補正の内容】
【発明の名称】ステータコアアセンブリ
【手続補正３】
【補正対象書類名】明細書
【補正対象項目名】０００１
【補正方法】変更
【補正の内容】
【０００１】
本発明は、回転電機用のステータコアを有するステータコアアセンブリに関する。
【手続補正４】
【補正対象書類名】明細書
【補正対象項目名】０００５
【補正方法】変更
【補正の内容】
【０００５】
したがって、発明者らは、磁束の短絡方向、すなわちヨークの軸心まわりの周方向へ板材を積層させてティースを形成すれば、短絡方向の磁気抵抗が増え、磁束の短絡を抑制することができるのではないかと考えた。このことは特許文献１により実現されている。
しかし、特許文献１では、ステータコアを構成するヨークとティースとが別体である。そのため、磁気回路は、ヨークとティースとの接続箇所で分断され微少なエアギャップが存在する。この分断による磁気抵抗の増加は、コイルの有効磁束を減少させ回転電機の出力低下を招く。
本発明は、上述の点に鑑みてなされたものであり、その目的は、回転電機の出力低下を抑制可能なステータコアアセンブリを提供することである。
【手続補正５】
【補正対象書類名】明細書
【補正対象項目名】０００６
【補正方法】変更
【補正の内容】
【０００６】
本発明による回転電機用のステータコアアセンブリは、ティースと、ヨークと、取付部とを有している。ティースは、ヨークの軸心まわりの周方向へ積層されている複数の板部から構成されている。ヨークは、周方向で隣り合う２つのティースのうち一方に含まれる板部と他方に含まれる板部とを接続しておりまた、２つのティースをつなぐ同一の部材から構成されている接続部を有している。取付部は、取付ボルトが挿通可能な取付孔を有しており、ヨークおよびティースとは別部材からなる。
【手続補正６】
【補正対象書類名】明細書
【補正対象項目名】０００７
【補正方法】変更
【補正の内容】
【０００７】
このように構成されたステータコアアセンブリでは、周方向にコアを積層してあるため、磁束がティースの径方向へ流れるときの磁気抵抗と比べて、磁束がティースの周方向へ流れるときの磁気抵抗を大きくすることができる。そのため、ロータの第１磁極からステータコアのティースに入る磁束が周方向へ流れにくくなり、磁束の短絡度を少なくすることができる。したがって、コイル部の有効磁束を増やすことができ、磁気短絡による出力の低下を抑制することができる。
【手続補正７】
【補正対象書類名】明細書
【補正対象項目名】０００８
【補正方法】変更
【補正の内容】
【０００８】
また、上述の構成のステータコアアセンブリでは、ロータの第１磁極からステータコアのティースの板部に入る磁束は、その板部と接続部と板部とを順に通ってロータの第２磁極に入る。ティースとヨークとの接続部は同一部材で一体的に構成してあり、従来例のような磁気抵抗の増加はなく、回転電機の出力低下を抑制することができる。
【手続補正８】
【補正対象書類名】明細書
【補正対象項目名】００１１
【補正方法】変更
【補正の内容】
【００１１】
まず、発電機について図１、図２を参照して説明する。図１、図２に示すように、磁石式発電機１０は、アウターロータ型の磁石式交流発電機であり、固定子であるステータ１１、回転子であるロータ１５およびクランク位置センサ２６を備えている。ステータ１１は、取付ボルト２７によってエンジンカバー５に取り付けられており、ステータコアＡｓｓｙ（アセンブリ）１２、ボビン１３およびコイル１４から構成されている。
【手続補正９】
【補正対象書類名】明細書
【補正対象項目名】００１７
【補正方法】変更
【補正の内容】
【００１７】
ステータコア４０は、コアエレメントＡｓｓｙ（アセンブリ）４４が周方向へ複数並べられることによって形成されている。本実施形態では、コアエレメントＡｓｓｙ４４は、ティース４２の数と同じ１２個設けられている。ロータの磁極が１２極の場合には単相発電機とすることができる。図５に示すように、コアエレメントＡｓｓｙ４４は、Ｕ字形のコアエレメント４５〜４９の積層体から構成されている。